(57)【要約】      （修正有）【課題】竹又は木速生材（成長の早い木の素材）の少なくとも一方を十分に利用した高強度な竹・木複合床板を提供する。【解決手段】竹・木複合床板は、竹・木材ベニヤ板或はその他竹・木材によってなる中間層３を含み、中間層３の側に溝、その他側にフランジ、中間層３の上方に表面装飾層１を設けている。竹、木速生材を十分に利用して原料とし、高品質で、天然木材の木目と色沢があり、各力学性能と装飾効果が全て実木地板と実木複合床板と同等以上であり、極めて大きい経済利益と社会効果がある。 【選択図】図１
0003138431.tif 000002
【実用新案登録請求の範囲】
【請求項１】
竹と木材とを組み合わせてなる高強度な竹・木複合床板であって、
竹と木材の少なくとも一方を含む中間層を含み、中間層側に溝、他の層側にフランジを設けていることを特徴とする高強度な竹・ 木複合床板。 
【請求項２】
中間層の上方に表面装飾層を設けていることを特徴とする請求項１に記載の高強度な竹・木複合床板。 
【請求項３】
中間層と表面装飾層との間にクッションを設けていることを特徴とする請求項３に記載の高強度な竹・木複合床板。 
【請求項４】
中間層の下部にもクッションを設けていることを特徴とする請求項３に記載の高強度な竹・木複合床板。 
【請求項５】
中間層が、竹片、竹編み、竹筏、木片或は木材を含むことを特徴とする請求項１に記載の高強度な竹・木複合床板。 
【請求項６】
表面装飾層は、任意の木種の木皮或いは薄板、竹皮或いは竹片、装飾紙、耐磨紙であることを特徴とする請求項２に記載の高強度な竹・木複合床板。
【請求項７】
クッションはベニヤ板、任意な木種の中型の延べ板、竹皮或いは竹片、密度板、プラスター・ボード、木プラスチック材料、石膏ボードであることを特徴とする請求項４に記載の高強度な竹・木複合床板。
【考案の詳細な説明】
【技術分野】
【０００１】
この実用新案は建築資材製品に関し、具体的には、竹、木速生材（成長の早い木の素材）を十分に利用した高強度な竹・木複合床板に関する。 
【背景技術】
【０００２】
人々の生活レベルがどんどん向上してきたことにより、人々はその家屋或は事務所、公共の建造物（例えば百貨店、スーパーマーケット、オフィスビル等）の造作について、その建築様式が自然素材を取り入れていたり、簡潔であったり、美観に優れていたり、上品であったり、ファッショナブルで流行の最先端にあることを要求している。これには大量の資源を消費する必要がある。しかしながら、木材は成長周期が長い（数十年乃至数百年、ひいては千年程度）ために、木材の非常な供給不足と、深刻な生態系の破壊問題等を解決する必要があった。そのために、最初、木材小枝材から強化複合床板が作り出されたが、その後、その強化複合床板は強度レベルが不十分で、木材の天然な木目と色沢がない場合があった。又、価格が低いが、「風雅な素材」としては不十分であったため、先端技術によって、小量木材の木目や色沢を利用し、各力学性能と装飾効果の両方が、実木床板と実木複合床板に達するか或いはそれ以上の特性を備えており、極めて大きい経済利益と社会的効果がある素材が求められていた。
【考案の開示】
【考案が解決しようとする課題】
【０００３】
この考案の目的は、従来技術の問題に鑑みて成されたものであり、少量木材と竹材を利用して作った高強度な竹・木複合床板を提供し、高品質で木材の天然で美観な木目と色沢があり、従来の床板以上の各力学性能と装飾効果を有しており、極めて大きい経済利益と社会的効果がある床板を提供するものである。
【課題を解決するための手段】
【０００４】
この本願の技術内容は次のとおりである。即ち、竹と木材とを組み合わせてなる高強度な竹・木複合床板であって、竹と木材の少なくとも一方を含む中間層を含み、中間層側に溝、他の側にフランジを設けていることを特徴とする。中間層は、ベニヤ板で構成することができる。  
【０００５】
上記の高強度な竹・木複合床板においては、中間層の上方に表面装飾層を設けている。 
【０００６】
上記の高強度な竹・木複合床板においては、中間層と表面装飾層との間にクッションを設けている。 
【０００７】
上記の高強度な竹・木複合床板においては、中間層を構成する竹と木材は、竹片、竹編み、竹筏、木片或は木材を含む。 
【０００８】
上記の高強度な竹・木複合床板においては、表面装飾層は任意な木種の木皮或は薄板、竹皮或は竹片、装飾紙、耐磨耗紙である。 
【０００９】
上記の高強度な竹・木複合床板においては、クッションはベニヤ板、任意の木種の中型の延べ板、竹皮或は竹片、密度板、プラスター・ボード、木プラスチック材料、石膏ボードである。 
【考案の効果】
【００１０】
この考案は少量の木材と竹材（生産期が三乃至五年のみ、且つ一回的に栽培、永久的に伐ることが可能な素材）を利用して高強度な竹・木複合床板を製造して生産し、高品質で木材の天然で美観な木目と色沢があり、従来の床板以上の各力学性能と装飾効果を有しており、極めて大きい経済利益と社会的効果があるものである。
【考案を実施するための最良の形態】
【００１１】
図１の示すように、高強度な竹・木複合床板は、竹と木材とから成るベニヤ板から成る中間層３、或はその他の竹と木材によりなる中間層３を含み、中間層３の側に溝、その他側にフランジが設けられており、溝とフランジは、組立のために用いられる。また中間層３の上方に表面装飾層１が設けられている。中間層を作った竹・木材ベニヤ板は、全ての構造タイプの竹・木材により付着したベニヤ板とし、その他のタイプの竹・木材は竹片、竹編み、竹筏、竹材制品等、竹子材料或は木片或は木材が適用可能である。表面装飾材料は任意な木種の木皮・薄板、竹皮・竹片、装飾紙、型板模様或は図案図形、耐磨耗紙等が適用可能である。 
【００１２】
なお、中間層と表面装飾層との間にクッションを設けてもよく、中間層下部にもクッションを設けてもよい。クッションはベニヤ板、任意な木種の中型の延べ板、竹皮或は竹片、密度板、プラスター・ボード、木塑材料、石膏ボードとする。 
【００１３】
本考案の提供した高強度な竹・木複合床板の規格は任意な矩形、正方形、菱形、円形、楕円形、三角形、梯形、多辺形或は不規則形状とする。 
【図面の簡単な説明】
【００１４】
【図１】本考案の床板の構造見取図。
【符号の説明】
【００１５】
１・・・  表面装飾層 
２・・・  クッション
３・・・  中間層
４・・・  クッション
【図１】
0003138431.tif 000003
【手続補正書】
【提出日】平成19年8月7日(2007.8.7)
【手続補正１】
【補正対象書類名】実用新案登録請求の範囲
【補正対象項目名】全文
【補正方法】変更
【補正の内容】
【実用新案登録請求の範囲】
【請求項１】
竹と木材とを組み合わせてなる高強度な竹・木複合床板であって、
竹と木材の少なくとも一方を含む中間層を含み、中間層側に溝、他の層側にフランジを設けていることを特徴とする高強度な竹・ 木複合床板。 
【請求項２】
中間層の上方に表面装飾層を設けていることを特徴とする請求項１に記載の高強度な竹・木複合床板。 
【請求項３】
中間層と表面装飾層との間にクッションを設けていることを特徴とする請求項２に記載の高強度な竹・木複合床板。 
【請求項４】
中間層の下部にもクッションを設けていることを特徴とする請求項３に記載の高強度な竹・木複合床板。 
【請求項５】
中間層が、竹片、竹編み、竹筏、木片或は木材を含むことを特徴とする請求項１に記載の高強度な竹・木複合床板。 
【請求項６】
表面装飾層は、任意の木種の木皮或いは薄板、竹皮或いは竹片、装飾紙、耐磨紙であることを特徴とする請求項２に記載の高強度な竹・木複合床板。
【請求項７】
クッションはベニヤ板、任意な木種の中型の延べ板、竹皮或いは竹片、密度板、プラスター・ボード、木プラスチック材料、石膏ボードであることを特徴とする請求項４に記載の高強度な竹・木複合床板。